(57)【要約】      （修正有）【課題】ショーケース等の台に金銭収納装置を設置しても、該台の上部に配置する秤や商品登録装置の高さを抑えることができ、台上をスッキリさせることができる金銭収納装置を提供する。【解決手段】紙幣や硬貨等の金銭を収納する収納部Ａ１と、前記収納部Ａ１を台Ｂの側端を越えた位置に保持する取付部Ａ２と、を有する金銭収納装置。【選択図】図１
2010176335.tif 000002
【特許請求の範囲】
【請求項１】
紙幣や硬貨等の金銭を収納する収納部と、前記収納部を台の側端を越えた位置に保持する取付部と、を有することを特徴とする金銭収納装置。
【請求項２】
前記収納部は蓋体を備え、該蓋体は開放時、該収納部に沿った位置に配置されることを特徴とする請求項１記載の金銭収納装置。
【請求項３】
前記取付部は、前記収納部と連結され突出して設けられた水平片部であることを特徴とする請求項１、又は２記載の金銭収納装置。
【請求項４】
前記取付部は、前記収納部の背部が兼ねていることを特徴とする請求項１、又は２記載の金銭収納装置。
【請求項５】
前記収納部は、収納庫本体と、該収納庫本体の開口部を開閉する回転可能な円弧状の蓋体で構成されていることを特徴とする請求項１乃至４の何れか１項記載の金銭収納装置。
【請求項６】
前記収納庫本体の開口部の外側面と前記蓋体の内側面との間に、硬貨落下防止部が設けられていることを特徴とする請求項５記載の金銭収納装置。
【請求項７】
前記取付部は、前記収納部を前記台の上面より突出した位置に保持することを特徴とする請求項１記載の金銭収納装置。
【請求項８】
紙幣や硬貨等の金銭を収納する収納部と、前記収納部を台の側面に対向して保持する取付部と、を有することを特徴とする金銭収納装置。
【発明の詳細な説明】
【技術分野】
【０００１】
本発明は商品取引において必要な紙幣や硬貨を収納する金銭収納装置に関する。
【背景技術】
【０００２】
従来のＰＯＳレジスタにおけるドロア（金銭収納装置）は、一般的に平面視矩形状の箱体で、金銭を収納できる程度の厚みを持った収納部が引き出し式に構成されている（例えば、特許文献１参照）。
そして、このドロアは、例えば対面販売するショーケース上に配置され、更にこのドロアの上に商品登録及び精算機能を有する秤装置等（商品登録装置）が載せられて使用される。
【０００３】
上記した配置での使用の場合、秤装置はドロアの上に置かれる為、装置全体の高さが高くなり、店員がお客と対面して取引をする店舗においては店員とお客との対面性が悪くなり、更にショーケースの上に高さのある装置を置くことで、お客に圧迫感を与えると共に、外観的にも統制がなく、不揃い感（デコボコ感）を与えている。
【０００４】
又、お客と対面しないカウンターや台の上にドロアが載せられ、その上に前記秤装置やＰＯＳレジスタ等の商品登録装置が置かれる配置であっても、前記同様、装置全体の高さが高くなってしまい、特に狭い店舗等においては装置上部の空間を有効に活用できないという問題があった。
【先行技術文献】
【特許文献】
【０００５】
【特許文献１】特開平８−８３３８１号公報
【発明の概要】
【発明が解決しようとする課題】
【０００６】
本発明は上記した従来の技術が有する問題点に鑑みてなされたもので、ショーケース等の台に金銭収納装置を設置しても、該台の上部に配置する秤や商品登録装置の高さを抑えることができ、台上をスッキリさせることができる金銭収納装置を提供することを目的とする。
【課題を解決するための手段】
【０００７】
上記目的を達成する為に本発明の金銭収納装置は、紙幣や硬貨等の金銭を収納する収納部と、前記収納部を台の側端を越えた位置に保持する取付部と、を有する構成を特徴とする（請求項１）。
前記収納部が取付部で保持される台の側端を越えた位置とは、台の後側面（店員が立つ側）より店員が立つ側に突出していることを意味し、収納部は台の上面より上方に突出していても、台の上面と面一でも、或いは台の上面より下方に位置していてもよい。
前記収納部は、紙幣や硬貨を種類毎に収納する仕切りを内部に一体に備える、或いは例えば硬貨を収納するだけの別体のケースを着脱可能に備えてもよい。
又、収納部は蓋無しでもよいが、蓋付きとすることで、収納した紙幣や硬貨が露出せず、管理及び安全性において有効である。
蓋付きの収納部の場合、該蓋体は開放時、該収納部に沿った位置に配置されるように構成する（請求項２）。
又、前記収納部は台の後側面に沿う横長の形態で、その形状（側面形状）は例えば約４分の一円形状、或いは四角形等でもよく、形状は問わない。
又、前記収納部が設置される台とは、ショーケース自体のみならず、ショーケース上に補助として台板が設けられ、該台板の側端を越えた位置に本発明の金銭収納装置が備わっていてもよい。
【０００８】
前記取付部は、前記収納部を台の後側面に対向して保持するもので、その形態としては前記収納部と連結され、該収納部と反対方向に突出して設けた水平片部（例えば、Ｌ字型取付板、ハンガー、フック等）（請求項３）、或いは前記収納部を区画構成する構成部材（例えば、背部）が取付部を兼ねる形態（請求項４）の何れでもよい。
前記水平片部からなる取付部は、前記収納部と一体的に構成する若しくは別体を連結して構成する等、何れでもよい。
水平片部からなる取付部を収納部と一体的に構成する形態とは、収納部の背部から該収納部と反対方向（直角水平方向）に延長突出する形態、また、別体を連結する形態とは例えばＬ字型取付板を用いた場合、垂直片部を前記収納部の背部に固着し、垂直片部に連接する水平片部は前記背部より後方に向けて突出させる。そして、前記水平片部を台の表面に載置固定する。
【０００９】
また、前記収納庫本体の開口部を閉鎖する蓋体の形態は、円弧形状の回動式（請求項５）、或いは蛇腹状の蓋体として収納庫本体の長手方向に沿って手で開閉する形態（両開き、片開き）、又はシャッタ方式等、何れでもよい。更に、前記蓋体の開閉は、ソレノイドやモータ等を用いた自動開閉タイプ、手動開閉タイプの何れでもよい。
【００１０】
上記手段によれば、金銭収納装置は取付部によって台の側端を超えた位置、即ち、台の側面に沿って台の手前側（店員側）に突出させて配置することができる。それにより、金銭収納装置は台であるショーケースの上に載ることがないので、ショーケース上に商品登録装置や秤を載せた場合でも高さを低く抑えることができる。よって、ショーケースを挟んで店員とお客が対面する対面販売において、ショーケースの上に載置する商品登録装置や秤が対面性を悪くすることはなく、またショーケース上をスッキリと見せることができる。
【００１１】
また、前記蓋体が回動式である場合、前記収納庫本体の開口部の外側面と前記蓋体の内側面との間に、硬貨落下防止部を設けてもよい（請求項６）。その場合、前記硬貨落下防止部は蓋体の内側面に設ける、或いは回動した蓋体と対向する収納庫本体の外側面に設ける等、何れでもよい。
【００１２】
上記手段によれば、収納庫本体の開口部を閉鎖する蓋体が回動式である場合、収納庫本体の上面を開放するために蓋体を回動した時、該収納庫本体の開口部の外側面と前記蓋体の内側面との間に硬貨落下防止部が存在することで、硬貨が入り込む隙間が現出しない。それにより、お客から受け取った硬貨を収納庫本体内に収納する際、誤って収納庫本体と蓋体との隙間に落とし、蓋体が閉まらなくなるといった不具合の発生を防止できる。
【００１３】
又、前記取付部は収納部を台の後側面に対向して台の上面より下方に保持する形態に限らず、台の上面よりも上方に突出して該台の側端を超えた位置に保持する構成としてもよい（請求項７）。
前記収納部を台の側端を越えた位置で且つ台の上面より上方に突出させて保持する取付部としては、収納部に一体的に形成する形態、或いは収納部に対して別途取り付けられる取付板（例えば、Ｌ字型取付板等）が挙げられる。
【００１４】
また、ショーケースの上に載置する秤の表示部が支柱（ポール）等によって該秤の高さ範囲外に支持され、秤の高さ内に存在しない場合は、該秤の高さ内（台の表面から秤皿の表面までの範囲内）に金銭収納装置を配置しても秤の表示部の確認動作が妨げられることはない。
【００１５】
また、本発明の金銭収納装置は、紙幣や硬貨等の金銭を収納する収納部と、前記収納部を台の側面に対向して保持する取付部と、を有する構成としてもよい（請求項８）。
前記収納部を台の側面に対向して保持する取付部とは、収納部の背部をショーケース等の後側（背面側）と対向して保持するもので、その形態としては前記収納部と連結され、該収納部と反対方向に突出して設けた水平片部（例えば、Ｌ字型取付板、ハンガー、フック等）、或いは前記収納部を区画構成する構成部材（例えば、背部）が取付部を兼ねる形態の何れでもよい。
【００１６】
上記手段によれば、金銭収納装置は取付部によって台の側端を超えた位置、即ち、台の側面に沿って台の手前側（店員側）に突出させて配置することができる。それにより、金銭収納装置は台であるショーケースの上に載ることがないので、ショーケース上に商品登録装置や秤を載せた場合でも高さを低く抑えることができる。よって、ショーケースを挟んで店員とお客が対面する対面販売において、ショーケースの上に載置する商品登録装置や秤が対面性を悪くすることはなく、またショーケース上をスッキリと見せることができる。
【発明の効果】
【００１７】
本発明の金銭収納装置は請求項１、８記載の構成により、金銭収納装置をショーケース等の台の手前側（オペレータ側）に突出させて或いは側面に対向して配置できる。それにより、従来のようにショーケース上に金銭収納装置が載ることがないので、ショーケース上に載置する秤等の商品登録装置はショーケース上に直接載置でき、その結果、高さを低く抑えることができ、台の上をスッキリと整理でき、対面販売においては対面性を良好に保つことができる。
又、請求項２記載の構成によれば、蓋体の開放時に該蓋体は収納部に沿った位置に配置されるので、蓋体が収納部よりも手前に突出することがないので、蓋体を開放するための空間を確保する必要がない。
又、請求項３、４記載の構成によれば、前記金銭収納装置を台の形態や、台の上に載せる商品登録装置に対応して確実に配置することができる。
又、請求項５記載の構成によれば、円弧状の蓋体が回転するように開くので、蓋体が収納部より手前側に突出して開くことがなく、それにより収納部手前にスペースを多くとる必要がなく、狭いエリアにおいても金銭の取り出しをすることができる。
更に、請求項６記載の構成により、回動した蓋体と収納庫本体との間に硬貨落下防止部が現出する為、硬貨が蓋体と収納庫本体との間に入り込むのを防止することができる。それにより、蓋体の正常な開閉動作を確保することができる。
【００１８】
また、請求項７記載の構成により、金銭収納装置を台の手前側で且つ該台の端面（表面）より上方に位置させて配置することができる。これにより、金銭収納装置が台の背面側に設けられた扉等と重なり合わず、台の開口領域（出し入れ口）を確保することができ、金銭収納装置が台に対する商品の出し入れ邪魔することが無い。そして、ショーケースの上に載置する秤の表示部が支柱（ポール）等によって該秤の高さ範囲外に支持され、秤の高さ内に存在しない場合は、該秤の高さ内（台の表面から秤皿の表面までの範囲内）に金銭収納装置を配置しても秤の表示部の確認動作が妨げられることはない。
【図面の簡単な説明】
【００１９】
【図１】本発明に係る金銭収納装置の設置例を示す側面図。
【図２】金銭収納装置の一例を示し、（ａ）は正面図、（ｂ）は縦断側面図。
【図３】金銭収納装置の蓋体を回動した状態を示し、（ａ）は平面図、（ｂ）は正面図、（ｃ）は縦断側面図。
【図４】収納庫本体の内部構造を示し。（ａ）は最上位の硬貨収納ケースを取り外した状態を示す縦断面図、（ｂ）は中間の紙幣収納ケースを上方へ跳ね上げた状態を示す縦断面図。
【図５】収納部を台に対向して保持する取付部の形態を示す平面図。
【図６】金銭収納装置の設置例を示し、（ａ）は金銭収納装置を収納部の背板を用いて台の側面に対向して設置する側面図、（ｂ）は金銭収納装置における収納部の他の形状を示す側面図。
【図７】金銭収納装置を台の端面を越えた位置に設置する側面図。
【発明を実施するための形態】
【００２０】
以下、本発明の実施の形態について、詳細に説明する。
【００２１】
本発明の金銭収納装置Ａは、ショーケースＢ（台）の後側面（店員が立つ側）と対向して、店員が立つ側に突出して設置されるもので、紙幣や硬貨等の金銭を収納する収納部Ａ１と、その収納部Ａ１をショーケースＢに対して前記状態に保持する取付部Ａ２とを有する。
【実施例１】
【００２２】
図１は金銭収納装置Ａを構成する収納部Ａ１が、側面視略四分の一円形状（略扇形状）の収納庫本体１と、その収納庫本体１の開口部を開閉する略同形の蓋体２とで構成され、該収納部Ａ１における収納庫本体１の背板１ａに、前記収納部Ａ１をショーケースＢの側面と対応する位置に保持する取付部Ａ２としてＬ字型取付板３が固着されて構成されている。
【００２３】
そして、金銭収納装置Ａは、ショーケースＢ（台）の背面側（店員側）上部角部が略直角を成している場合は、前記Ｌ字型取付板３の垂直片部３ａと水平片部３ｂを直角角部に当接させて保持し（図１（ａ）参照）、ショーケースＢの背面側（店員側）上部角部が直角より大きい角度で膨らんでいる場合は、ショーケースＢの上面に補助台板４を後方（店員側）に向けて突出載置し、その補助台板４（台）上に前記Ｌ字型取付板３の垂直片部３ａと水平片部３ｂを当接させて保持する（図１（ｂ）参照）。尚、図示の実施例では、Ｌ字型取付板３の水平片部３ｂの上面に、レジ機能を有する秤Ｃが載置されている。そして、秤Ｃには店員用表示操作部Ｃ’と客用表示部Ｃ”とが設けられている。
【００２４】
図２は前記金銭収納装置Ａの収納部Ａ１の詳細を示し、収納庫本体１は合成樹脂材によって側面視略四分の一円形状（略扇形状）で横長に形成され、該収納庫本体１の内部は高さ方向中程位置に上下回動可能に設けた紙幣収納ケース５と、前記紙幣収納ケース５より上方位置に着脱可能に取り付けた硬貨収納ケース６とで、上・中・下の三段に仕切られている。即ち、上段は硬貨収納ケース６による硬貨収納部、中段は紙幣収納ケース５による紙幣収納部、下段は前記紙幣収納ケース５の底部と収納庫本体１の底部とで区画される空間で紙幣収納部として使用される。
【００２５】
前記収納庫本体１は、背部１ａ、底部１ｂ、及び左右側部１ｃ，１ｃ’とで上方が開放した樋状ケースに形成され、前記背部１ａには本金銭収納装置ＡをショーケースＢに取り付けるためのネジ取付孔７（図４参照）が開設され、該背部１ａを取付部Ａ２として使用し得るように構成されている。
【００２６】
前記収納庫本体１の開口部を開閉する蓋体２は、合成樹脂材又は金属製平板などによって前記収納庫本体１の開口部を閉鎖する円弧状の蓋部２ａと、その蓋部２ａの長手方向の両側に連設した側面視略四分の一円形状（略扇形状）の側部２ｂ，２ｂ’とで構成されている。そして、前記側部２ｂ，２ｂ’が前記収納庫本体１の左右側板１ｃ，１ｃ’の外側に配置され、側部２ｂ，２ｂ’の頂点付近（円弧状の蓋部２ａの略中心）が軸８で回動可能に軸支されている。
又、前記蓋部２ａの回動方向終端側（蓋体を閉じ時収納庫本体の底部に近接する側）には前記収納庫本体１の底部１ｂと重合する係合部２ｃが連設形成され、その係合部２ｃと収納庫本体１の底部とに亘って蓋体２の開閉を規制する掛止機構（図示省略）が設けられている。
【００２７】
その掛止機構は、例えば、蓋体２の係合部２ｃに掛止枠を固着し、その掛止枠は蓋体２を閉じた時収納庫本体１の底部１ｂに開口した通孔を貫通して掛止機構内に嵌入し、掛止機構を構成するソレノイドの作動でフックが前記掛止枠に嵌入して蓋体２の閉鎖状態が確立されている。蓋体の開動は前記ソレノイドと電気的に接続された秤で商品を登録し、合計金額を算出し、預かり金額を置数し、秤の操作部に設けられた現計キーが押されることで、前記ソレノイドが作動してフックが掛止枠から外れ、蓋体２は自重により軸８を中心として回動し、収納庫本体１は開放状態となる。
つまり、蓋体２は収納庫本体１の外形（円弧状）に沿った位置に収納配置されるよう開放されるので、蓋体２が店員側に突出して開放することがなく、該蓋体２が手前に開放される領域を確保しなくて済むので、狭いエリアでも金銭の出し入れが可能になる。また、そもそもショーケースの側端よりも突出した位置に収納庫本体１が設けられているので、略四分の一円形状の蓋体２が収納庫本体１に沿って回動し、開放されたとしても、その収納庫本体の下の領域を活用して蓋体２を位置させることができるので、前記同様、蓋体２が店員側に突出することがなく、狭いエリアでも金銭の出し入れが可能になる。
【００２８】
又、前記蓋体２の蓋部２ａにおける回動方向始端側（蓋体を閉じた時、収納庫本体１の背部１ａの上端と接合する側）の内面には、該蓋体２を回動して収納庫本体１の開口部を開放した時、該収納庫本体１の底部１ｂの先端面と前記蓋体２の蓋部２ａの内側面との間に生じる隙間Ｓを埋める硬貨落下防止部９が取り付けられている。
その硬貨落下防止部９は、合成樹脂材からなる角棒材などで構成され、蓋部２ａの長手方向全長に亘って固着されている。尚、硬貨落下防止部９は蓋体２に一体に構成してもよい。
【００２９】
前記紙幣収納ケース５は、合成樹脂材によって断面略Ｌ字型の皿状に形成され、垂直部が前記収納庫本体１の背部１ａに対して上下回動可能に軸支されている。又、紙幣収納ケース５の垂直部の内側と、皿状底部の外側には該紙幣収納ケース５内に積層収納される紙幣、及び収納庫本体１の底部１ｂ上に積層収納される紙幣を下方に押え付ける紙幣押え１０，１０’が上下弾発可能に取り付けられている。
【００３０】
前記硬貨収納ケース６は、前記紙幣収納ケース５と同様、合成樹脂材によって断面略Ｌ字型の皿状に形成され、且つ長手方向は所定間隔毎に仕切り６ａが設けられて、硬貨を種類毎に分けて収納し得るように構成されている。そして、この硬貨収納ケース６は前記収納庫本体１内の紙幣収納ケース５の上方位置に、左右側板１ｃ，１ｃ’によって着脱可能に載架支持される。
従って、図４に示すように硬貨収納ケース６を上方に持ち上げれば下位の紙幣収納ケース５が露出し、該紙幣収納ケース５に収納した紙幣の取り出しを容易に行なうことが可能となり、更に紙幣収納ケース５を上方に跳ね上げ回動することで下段の紙幣収納部が露出され、該部に収納された紙幣の取り出しを容易に行なうことが可能となる。
【００３１】
前記収納部Ａ１をショーケースＢの背面側から後方に向けて突出保持する取付部Ａ２のＬ字型取付板３は、金属製平板をＬ字型に折り曲げて垂直片部３ａと水平片部３ｂが形成され、その垂直片部３ａが収納部Ａ１を構成する収納庫本体１の背部１ａにネジ止めなどによって固着され、該垂直片部３ａの上端から直角水平方向に突出する水平片部３ｂをショーケースＢの天板上面に直接載置、又はショーケースＢの天板上面に載置した補助台板４（台）上に載置固定する。
前記Ｌ字型取付板３をショーケースＢに対して定着する方法は、前記水平片部３ｂをショーケースＢの天板又は補助台板４上に載せるだけ、或いは水平片部３ｂをショーケースＢの天板又は補助台板４に両面テープで固定する、又は前記水平片部３ｂをショーケースＢの天板又は補助台板４にネジ止めする等、何れでもよい。但し、水平片部３ｂをショーケースＢの天板又は補助台板４上に単に載せて定着する場合、水平片部３ｂの表面積は垂直片部３ａの表面積より大きくし、水平片部３ｂの重量で収納部Ａ１の転倒を防止できるようにする必要がある。
【００３２】
又、Ｌ字型取付板３の水平片部３ｂをショーケースＢの天板又は補助台板４上に載置する場合、図１（ａ）、（ｂ）に示すようにその水平片部３ｂの上にレジ機能を有する秤Ｃ又は商品登録装置を載せ、秤Ｃ又は商品登録装置の重量を重石代わりにして定着してもよい。
【００３３】
前記Ｌ字型取付板３の水平片部３ｂの形状は、図５（ａ）に示すように垂直片部３ａに連接した一枚板の平板、或いは図５（ｂ）に示すように帯状板を間隔をおいて複数突出形成する形態等、何れでもよい。そして、水平片部３ｂにはＬ字型取付板３をショーケースＢの天板又は補助台板４にネジ止めするためのネジ取付孔１１が開設されている。
【００３４】
前記取付部Ａ２は、収納部Ａ１と別体のＬ字型取付板３に限らず、例えば、図６（ａ）に示すように収納部Ａ１を構成する収納庫本体１の背部１ａを利用してもよい。具体的には、図４に示すように背部１ａに開設したネジ取付孔７を用いてショーケースＢの背面側上部にネジ止め固定する。但し、この場合、ショーケースＢ側の取り付け箇所にはネジ止めするための受け板１２等を固定する。
【００３５】
前記収納部Ａ１を構成する収納庫本体１の側面形状は略四分の一円形状（略扇形状）に限定されず、例えば、図６（ｂ）に示すように上面が開放された四角形の箱体１３としてもよく、該箱体１３の上面の開口部は蓋体１４で開閉自在としてもよい。尚、箱体１３は側壁（背部）を利用してショーケースＢに取り付けているが、前示実施例と同様、収納庫本体とは別体のＬ字型取付板を用いて取り付け可能であることは言うまでも無い。
【００３６】
実施例１に示した金銭収納装置Ａの取り付けは、ショーケース（台）Ｂの天板又は天板上に載置した補助台板４の表面と金銭収納装置Ａの上面が略同じ高さ位置で、金銭収納装置ＡはショーケースＢの背面である店員が位置する側に突出させている。この場合、ショーケースＢの天板より上方に金銭収納装置Ａが突出しない為、該ショーケースＢ上に載置する秤Ｃの店員用の表示操作部Ｃ’が該秤Ｃの高さ内に収まるような構成である場合、前記金銭収納装置Ａが店員用表示操作部Ｃ’の操作、視認の邪魔になることはない。また、金銭収納装置ＡはショーケースＢの背面側上部と重なるが、ショーケースＢ内の上部には照明器具等が配置されており、商品は該照明器具等より下方に陳列されている為、商品の出し入れに際して前記金銭収納装置Ａが邪魔になることはない。しかし、金銭収納装置ＡとショーケースＢとの重なり面積は極力少ない方がよい。
【実施例２】
【００３７】
図７は金銭収納装置ＡをショーケースＢの天板の側端（端面）を越え（図７では左側に越え）、且つ該ショーケースＢの天板の表面から上方に突出させて取り付ける例を示す。具体的には、収納部Ａ１の収納庫本体１の背部１ａの外側面に、取付部Ａ２のＬ字型取付板３を取り付ける。
Ｌ字型取付板３の取り付けは、該Ｌ字型取付板３の垂直片部３ａを、水平片部３ｂが前記垂直片部３ａの下端より前方に向けて直角水平に突出するように取り付ける。そして、その水平片部３ｂをショーケースＢの天板に載置固定する。
Ｌ字型取付板３の水平片部３ｂをショーケースＢに対して固定する方法は、前示実施例と同様、両面テープで固定、ネジ止め固定、或いはショーケースＢ上に載置する秤Ｃの重量で押え固定する等、何れでもよい。又、ショーケースＢに載置する秤Ｃや、商品登録装置の底部に前記水平片部３ｂをネジ止め固定してもよい。
【００３８】
上記構成によれば、図７に示されるように金銭収納装置Ａの上面がショーケースＢの天板より上方に突出する為、ショーケースＢとの重なり面積は前示実施例に比べて大幅に少なくできる。それにより、金銭収納装置ＡがショーケースＢ内の商品の取り出しの妨げになることは殆どない。
又、ショーケースＢの天板上に載置される秤Ｃの店員用表示操作部Ｃ’が支柱１５等によって該秤Ｃの表面（秤皿表面）より上方位置に設けられている場合、前記金銭収納装置Ａは秤Ｃの高さ範囲内に配置しても、店員用表示操作部Ｃ’の操作や視認の邪魔にはならない。しかも、その場合、金銭収納装置Ａは秤Ｃで隠れる為、外観を損ねることもなく、非常に好適である。
尚、収納部Ａ１に対するＬ字型取付板３の取付位置（高さ位置）を調整することで、ショーケースＢとの重なり面積を調整することができる。
【００３９】
本発明の金銭収納装置は図示した実施の形態に限定されるものではなく、本発明の要旨を変更しない範囲で適宜変更可能である。
（１）実施の形態では、紙幣収納ケースは紙幣を水平に寝かせて収納する形態としたが、その収納形態は縦置きでもよく、また、硬貨収納ケースは例えば収納部Ａ１の一端に寄って位置する等、それらの収納形態は問わない。
（２）実施の形態では、収納庫本体の内部に別体の紙幣収納ケース、硬貨収納ケースを収容したが、収納庫本体の内部に紙幣収納部と硬貨収納部を同一体に構成してもよい。
（３）実施の形態では、店員がお客と対面するショーケースに金銭収納装置が配置される例を示したが、お客と対面しないカウンターや、台に秤やＰＯＳレジスタが置かれ、そのカウンターの側端部に本発明の金銭収納装置を配置してもよい。
（４）上記実施の形態では、図１（ａ）に示すようにＬ字型取付板をショーケース上に配置し、該Ｌ字型取付板に連結された金銭収納装置が店員側に突出するよう配置され、Ｌ字型取付板の上に秤が載る例を説明したがこれに限らず、秤はＬ字型取付板の上に載らず、ショーケース上のずれた位置に配置されるようにしてもよい。この場合でも、ショーケース上に秤が載るだけなので装置としての高さを抑えることができ、Ｌ字型取付板上部のエリアを例えばショーケース内から取り出した商品を一時的に置くスペースとして利用することができる。
（５）上記実施の形態では、収納庫本体１、蓋体２共に円弧状の形態の例で説明したが、収納庫本体は例えば上部に金銭を収納する為の開口部を有する直方体形状で、蓋体のみ円弧状にして、該蓋体が回動することで開口部を開閉するようにしてもよい。
（６）上記実施の形態では、蓋体２が側面視略四分の一円形状による説明であったが、収納庫本体の開口部を開閉できる形状であればよいので、例えば収納庫本体が側面視略四分の一よりも小さい大きさであればその大きさに合わせた蓋体２を用意すればよいのでその形状は問わない。
【符号の説明】
【００４０】
Ａ…金銭収納装置                  Ａ１…収納部
Ａ２…取付部                          Ｂ…ショーケース（台）
Ｃ…秤                            Ｃ’…秤の店員用表示操作部
Ｃ”…秤の客用表示部                  １…収納庫本体
１ａ…収納庫本体の背部                ２…蓋体
３…Ｌ字型取付板                  ３ａ…垂直片部
３ｂ…水平片部                        ９…硬貨落下防止部
【図１】
2010176335.tif 000003
【図２】
2010176335.tif 000004
【図３】
2010176335.tif 000005
【図４】
2010176335.tif 000006
【図５】
2010176335.tif 000007
【図６】
2010176335.tif 000008
【図７】
2010176335.tif 000009